(57)【要約】【課題】ユーザの行動によって生体情報がどのように変化するかを把握し易くする生体情報表示装置を提供する。【解決手段】生体情報表示装置１０は、ユーザが操作可能であり、時間経過に伴って変化するグルコース値を表示する操作表示部４２を備える。また、生体情報表示装置１０は、ユーザ自身の食事摂取量、食後運動量を取得する行動取得部７２を有する。さらに生体情報表示装置１０は、食事摂取量及び食後運動量を取得した場合に、取得前に表示しているグルコース値の表示内容から、食事摂取量や食後運動量に基づくグルコース値の表示内容に変化させて表示する表示制御部７４を有する。【選択図】図１
2019164608.tif 000002
【特許請求の範囲】
【請求項１】
ユーザが操作する操作部と、時間経過に伴って変化する生体情報を表示する表示部とを有する生体情報表示装置であって、
前記ユーザの前記操作部の操作下に、該ユーザ自身の行動に関わる情報を取得する行動取得部と、
前記行動に関わる情報を取得した場合に、取得前に前記表示部に表示している生体情報の表示内容から、前記行動に関わる情報に基づく前記生体情報の表示内容に変化させて前記表示部に表示する表示制御部と、を有する
ことを特徴とする生体情報表示装置。
【請求項２】
請求項１記載の生体情報表示装置において、
前記表示制御部は、前記生体情報の表示内容として、時間を横軸とし前記生体情報を縦軸とした生体情報のグラフを生成して前記表示部に表示し、
且つ前記行動に関わる情報に基づき、前記生体情報のグラフの背景色、表示線の線形状又は色のうちいずれかを変化させる
ことを特徴とする生体情報表示装置。
【請求項３】
請求項２記載の生体情報表示装置において、
前記表示制御部は、前記行動に関わる情報又は前記生体情報の変化に基づき、所定の時間範囲内の前記生体情報のグラフの背景色、前記表示線の線形状又は色を変化させる
ことを特徴とする生体情報表示装置。
【請求項４】
請求項２又は３記載の生体情報表示装置において、
前記表示制御部は、前記行動に関わる情報毎の変化内容が設定されたグラフマップ情報を有し、前記行動に関わる情報に基づき前記グラフマップ情報を参照して前記生体情報のグラフを変化させる
ことを特徴とする生体情報表示装置。
【請求項５】
請求項２〜４のいずれか１項に記載の生体情報表示装置において、
前記行動に関わる情報は、第１行動量と、該第１行動量と異なる第２行動量と、を含み、
前記表示制御部は、前記第１行動量に基づき前記生体情報のグラフの背景色、前記表示線の線形状、又は前記表示線の色のうちいずれかの要素を変化させて第１状態とし、且つ前記第２行動量に基づき前記生体情報のグラフの背景色、前記表示線の線形状、又は前記表示線の色のうち前記第１状態と異なる要素を変化させて第２状態とする
ことを特徴とする生体情報表示装置。
【請求項６】
請求項１〜５のいずれか１項に記載の生体情報表示装置において、
前記表示制御部は、前記行動に関わる情報の取得に伴い、前記生体情報の表示内容として前記生体情報に基づくアドバイス情報を生成して前記表示部に表示する
ことを特徴とする生体情報表示装置。
【請求項７】
請求項６記載の生体情報表示装置において、
前記表示制御部は、前記生体情報の基準値を有し、取得した前記生体情報と前記基準値の差分を算出し、前記差分の絶対値が予め保有する差分閾値よりも大きい場合に、前記ユーザの行動量の変化を要請する前記アドバイス情報を表示させる
ことを特徴とする生体情報表示装置。
【請求項８】
請求項６又は７記載の生体情報表示装置において、
前記表示制御部は、前記生体情報が変化した際に正常時の生体情報範囲に戻るまでの実時間を計測し、前記実時間が予め保有する時間閾値より長い場合に、前記ユーザの行動量の変化を要請する前記アドバイス情報を表示させる
ことを特徴とする生体情報表示装置。
【請求項９】
請求項１〜８のいずれか１項に記載の生体情報表示装置において、
前記表示制御部は、前記行動に関わる情報毎のアドバイス情報が設定されたアドバイスマップ情報を有し、前記行動に関わる情報に基づき前記アドバイス情報を選択する
ことを特徴とする生体情報表示装置。
【請求項１０】
請求項１〜９のいずれか１項に記載の生体情報表示装置において、
前記生体情報は、前記ユーザのグルコース値であり、
前記行動に関わる情報は、前記ユーザが認識する食事摂取量及び食後運動量である
ことを特徴とする生体情報表示装置。
【発明の詳細な説明】
【技術分野】
【０００１】
本発明は、時間経過に伴って変化する生体情報を表示する生体情報表示装置に関する。
【背景技術】
【０００２】
例えば、特許文献１には、ユーザ（生体）に留置された検出装置（ブドウ糖監視デバイス）により生体情報であるグルコース値を検出し、その検出情報を生体情報表示装置（ＰＤＡ／スマートフォン）に送信して表示するシステムが開示されている。この種のシステムは、ユーザの日常生活におけるグルコース値の変化をユーザ自身に認識させることで、グルコース値のコントロールを意識付けさせることができる。
【０００３】
また、特許文献１に開示の生体情報表示装置は、グルコース値の表示時に、時間に伴い変化するグルコース値をグラフで表示し、さらにこのグラフにおいて高血糖領域をブルー、正常又は目標領域をグリーン、低血糖領域をレッドで着色している。これによりユーザは、グルコース値の表示内容を識別することができる。
【先行技術文献】
【特許文献】
【０００４】
【特許文献１】特許第５７９７２２４号公報
【発明の概要】
【発明が解決しようとする課題】
【０００５】
糖尿病と診断されていないユーザであっても、食後に血糖値スパイク（血糖値が急激に上昇する現象）が生じていることがある。血糖値スパイクを放置すると、心筋梗塞や狭心症等のリスクが上昇する。このような血糖値スパイクの発生を抑制するためには、ユーザが、自身の血糖値の変化と共に、自身の行動量（食事摂取量や食後運動量がどの程度であるか）を把握することが重要である。しかしながら、血糖値及び血糖値を反映する体液中のグルコース値の変化は個々の患者で異なるため、食事摂取量や食後運動量を一律的に決めることはできない。その一方で、ユーザは、自身が思っている以上に食事を摂取する、又は充分な運動をしていない場合があり、特許文献１に開示のシステムによりグルコース値の変化を確認させるだけでは、食事制限や運動を増やすような行動変容につながらない場合がある。
【０００６】
本発明は、上記の課題を解決するためになされたものであり、ユーザの行動によって生体情報がどのように変化するかを把握し易くすることで、ユーザの行動についての意識改革をより促進することができる生体情報表示装置を提供することを目的とする。
【課題を解決するための手段】
【０００７】
前記の目的を達成するために、本発明は、ユーザが操作する操作部と、時間経過に伴って変化する生体情報を表示する表示部とを有する生体情報表示装置であって、前記ユーザの前記操作部の操作下に、該ユーザ自身の行動に関わる情報を取得する行動取得部と、前記行動に関わる情報を取得した場合に、取得前に前記表示部に表示している生体情報の表示内容から、前記行動に関わる情報に基づく前記生体情報の表示内容に変化させて前記表示部に表示する表示制御部と、を有することを特徴とする。
【０００８】
この場合、前記表示制御部は、前記生体情報の表示内容として、時間を横軸とし前記生体情報を縦軸とした生体情報のグラフを生成して前記表示部に表示し、且つ前記行動に関わる情報に基づき、前記生体情報のグラフの背景色、表示線の線形状又は色のうちいずれかを変化させることが好ましい。
【０００９】
また、前記表示制御部は、前記行動に関わる情報又は前記生体情報の変化に基づき、所定の時間範囲内の前記生体情報のグラフの背景色、前記表示線の線形状又は色を変化させるとよい。
【００１０】
さらに、前記表示制御部は、前記行動に関わる情報毎の変化内容が設定されたグラフマップ情報を有し、前記行動に関わる情報に基づき前記グラフマップ情報を参照して前記生体情報のグラフを変化させることが好ましい。
【００１１】
そして、前記行動に関わる情報は、第１行動量と、該第１行動量と異なる第２行動量と、を含み、前記表示制御部は、前記第１行動量に基づき前記生体情報のグラフの背景色、前記表示線の線形状、又は前記表示線の色のうちいずれかの要素を変化させて第１状態とし、且つ前記第２行動量に基づき前記生体情報のグラフの背景色、前記表示線の線形状、又は前記表示線の色のうち前記第１状態と異なる要素を変化させて第２状態とする構成であるとよい。
【００１２】
また、前記表示制御部は、前記行動に関わる情報の取得に伴い、前記生体情報の表示内容として前記生体情報に基づくアドバイス情報を生成して前記表示部に表示する構成とすることができる。
【００１３】
ここで、前記表示制御部は、前記生体情報の基準値を有し、取得した前記生体情報と前記基準値の差分を算出し、前記差分の絶対値が予め保有する差分閾値よりも大きい場合に、前記ユーザの行動量の変化を要請する前記アドバイス情報を表示させるとよい。
【００１４】
さらに、前記表示制御部は、前記生体情報が変化した際に正常時の生体情報範囲に戻るまでの実時間を計測し、前記実時間が予め保有する時間閾値より長い場合に、前記ユーザの行動量の変化を要請する前記アドバイス情報を表示させることが好ましい。
【００１５】
またさらに、前記表示制御部は、前記行動に関わる情報毎のアドバイス情報が設定されたアドバイスマップ情報を有し、前記行動に関わる情報に基づき前記アドバイス情報を選択するとよい。
【００１６】
そして、前記生体情報は、前記ユーザのグルコース値であり、前記行動に関わる情報は、前記ユーザが認識する食事摂取量及び食後運動量であるとよい。
【発明の効果】
【００１７】
本発明によれば、生体情報表示装置は、ユーザ自身の行動に関わる情報に基づき生体情報の表示内容を変化させて表示部に表示することで、表示部を視認したユーザは、自身の行動に応じた生体情報の変化を、容易且つ確実に認識することができる。すなわち、生体情報表示装置は、ユーザの行動によって生体情報がどのように変化するかを把握し易くする。従って、ユーザは、ユーザ自身の行動についての意識改革をより促進することができ、病気の改善、予防又は進行を抑える等の効果を期待することができる。
【図面の簡単な説明】
【００１８】
【図１】本発明の一実施形態に係る生体情報表示装置を有する生体情報システムの全体構成を示す説明図である。
【図２】生体情報システムの内部の構成を示すブロック図である。
【図３】図３Ａは、食事摂取量入力画面を示す説明図である。図３Ｂは、食後運動量入力画面を示す説明図である。
【図４】図４Ａは、グルコース値表示画面の一例を示す説明図である。図４Ｂは、グルコース値表示画面の別例を示す説明図である。
【図５】生体情報表示装置の制御部の機能ブロックを示すブロック図である。
【図６】グラフマップ情報の一例を示す図表である。
【図７】図７Ａは、食後のグルコース値の変化例を示す第１説明図である。図７Ｂは、食後のグルコース値の変化例を示す第２説明図である。図７Ｃは、食後のグルコース値の変化例を示す第３説明図である。
【図８】食事摂取量アドバイスマップ情報の一例を示す図表である。
【図９】食後運動量アドバイスマップ情報の一例を示す図表である。
【図１０】アドバイス情報を生成する際のアドバイス表示処理フローを示すフローチャートである。
【図１１】図１１Ａは、第１変形例に係るグルコース値表示画面の一例を示す説明図である。図１１Ｂは、第１変形例に係るグルコース値表示画面の別例を示す説明図である。
【図１２】図１２Ａは、第２変形例に係るグルコース値表示画面の一例を示す説明図である。図１２Ｂは、第２変形例に係るグルコース値表示画面の別例を示す説明図である。
【図１３】一日のグルコース値のグラフを表示する例を示す説明図である。
【図１４】一週間のグルコース値のグラフを表示する例を示す説明図である。
【発明を実施するための形態】
【００１９】
以下、本発明について好適な実施形態を挙げ、添付の図面を参照して詳細に説明する。
【００２０】
本発明の一実施形態に係る生体情報表示装置１０は、図１に示すように、ユーザ（生体）の生体情報を検出する検出装置１２に通信可能に接続され、検出装置１２が検出した生体情報を受信して、適宜の形式で表示する処理を行う。検出装置１２は、ユーザの任意の体表上に留置される一方で、生体情報表示装置１０はユーザ自身に携帯される。以下では、検出装置１２及び生体情報表示装置１０によって構成されるシステムを、生体情報システム１４という。
【００２１】
生体情報システム１４が取り扱う生体情報は、特に限定されず、例えば、血糖値、体液のグルコース値、ケトン体、血圧、心拍数、体温、心電図、脳波、呼吸状態、血中酸素飽和度等があげられる。本実施形態では、生体情報としてユーザの血糖値と相関がある皮下の間質液グルコース値を得る生体情報システム１４について代表的に説明する。
【００２２】
すなわち、生体情報システム１４は、体表に留置した検出装置１２により所定期間毎にユーザのグルコース値を検出するＣＧＭ（Continuous Glucose Monitoring）用のシステムに構成されている。ＣＧＭ用のシステムは、ユーザの皮下での間質液のグルコース値の変動を監視することで、例えば、糖尿病の治療において、医師等が個々の患者の状態に合わせた方針を採ることを可能とする。また、生体情報システム１４は、図示しない薬剤投与装置と連動することで、検出装置１２が検出したグルコース値に基づきインスリン等の薬剤を自動で投与する構成となっていてもよい。
【００２３】
以下では、本発明の理解の容易化のため、生体情報システム１４の検出装置１２について先に説明する。生体情報システム１４の検出装置１２は、検出本体部１６と、検出本体部１６に取り付けられてグルコース値を外部に送信するトランスミッタ部１８と、検出本体部１６及びトランスミッタ部１８を体表上に留置する留置部２０と、を有する。
【００２４】
検出本体部１６は、センサ側筐体１６ａから突出すると共に、内部の検出回路部２２（図２参照）に接続されるセンサ部２４を備える。センサ部２４は、例えば、挿入前に図示しない挿入装置に組み込まれており、挿入装置の動作下にユーザの体表から体内に穿刺されて皮下に留置される。センサ部２４は、留置状態で、所定の測定原理に基づき、血液中に含まれるグルコースに関わる情報を検出して検出回路部２２に送る。
【００２５】
測定原理の一例としては、電極法があげられる。特に酵素電極法の場合、センサ部２４は、皮下の間質液に含まれるグルコースと酵素を反応させて生じた電子を電流値として検出する電極を有する。検出回路部２２は、センサ部２４で生じる間質液中のグルコース濃度に応じた信号を検出する。なお、測定原理は、酵素電極法に限られるものではなく、グルコース結合性物質を用いたアフィニティセンサーとしてもよく、検出法も光学信号によるものでもよい。
【００２６】
図２に示すように、検出回路部２２は、センサ部２４に測定用電圧又は測定用電流を供給する。検出回路部２２は、測定試料（間質液）中のグルコース量（濃度）に応じた信号（電流値、電圧値、電荷量等）を受け取り、電流信号を増幅及び電圧信号に変換してトランスミッタ部１８に送る。センサ側筐体１６ａとトランスミッタ部１８のトランスミッタ側筐体１８ａとは、図示しない接続端子同士を介して電力を供給可能且つ信号を送受信可能に接続される。検出回路部２２は、必要に応じて、ポテンショスタット、Ａ／Ｄ変換器、ＲＡＭ、ＲＯＭ、プロセッサ及び／又はその他を含むことができる。さらに、センサ部２４から受け取った信号のノイズを除去するフィルタ装置も有してもよい。なお、検出本体部１６及び検出回路部２２を、後述のトランスミッタ部１８内に設けることで、センサ部２４とトランスミッタ部１８とを別体とすることも可能である。
【００２７】
トランスミッタ部１８は、検出本体部１６を覆いつつ留置部２０に取り付けられる。トランスミッタ部１８の内部には、検出回路部２２に接続されるＡ／Ｄ回路２６、トランスミッタ部１８の起動をＯＮ／ＯＦＦする電源スイッチ２８、外部機器と通信を行う通信モジュール３０、及び検出装置１２の動作を制御するセンサ側制御部３２が設けられている。また、トランスミッタ部１８は、検出装置１２の各電子部品に電力を供給するバッテリ３４（２次電池）を備える。
【００２８】
通信モジュール３０は、外部（生体情報表示装置１０）との間で無線通信回線を構築して、センサ側制御部３２の制御下に情報通信を行う。例えば、無線通信回線の規格としては、Ｂｌｕｅｔｏｏｔｈ（登録商標）やＺｉｇＢｅｅ（登録商標）等があげられる。なお、検出装置１２と生体情報表示装置１０との間の通信は、無線通信に限定されず、有線通信であってもよい。
【００２９】
センサ側制御部３２は、プロセッサ３６（ＣＰＵ）、メモリ３８を有すると共に、Ａ／Ｄ回路２６、電源スイッチ２８、通信モジュール３０等と接続する図示しない入出力インタフェースを有するコンピュータとして構成されている。センサ側制御部３２は、メモリ３８に記憶されている図示しない検出プログラムをプロセッサ３６が読み出して実行することで、検出本体部１６によるグルコース値の検出を制御する。例えば、センサ側制御部３２は、所定のタイミング毎にグルコース値の検出を行い、検出したグルコース値をメモリ３８に記憶し、また通信モジュール３０を制御して生体情報表示装置１０にグルコース値情報（グルコース値、測定日時）を送信する。
【００３０】
図１に戻り、検出装置１２の留置部２０は、検出本体部１６及びトランスミッタ部１８をまとめて生体の体表に固定する。例えば、留置部２０は、トランスミッタ部１８の体表の対向面を留置部２０に係止する固定具を備える。
【００３１】
一方、生体情報表示装置１０は、生体情報システム１４のレシーバであり、本実施形態においてはスマートフォン（携帯電話）を適用している。なお、生体情報表示装置１０は、スマートフォンを適用するだけでなく、検出装置１２と情報通信可能な種々の装置を適用し得る。例えば、生体情報表示装置１０は、グルコース値表示を行う専用のレシーバを適用してもよく、或いはＰＤＡ、ウェアラブルコンピュータ等の携帯型情報端末、ラップトップコンピュータ、タブレット端末等を適用することができる。
【００３２】
図１及び図２に示すように、生体情報表示装置１０は、通信モジュール４０、操作表示部４２、マイク４４、スピーカ４６、バッテリ４８及び表示装置側制御部５０（以下、単に制御部５０という）を有する。
【００３３】
通信モジュール４０は、検出装置１２の通信モジュール３０と同じ通信規格が採用され、制御部５０の制御下に検出装置１２との間で通信を確立（ペアリングを形成）する。これにより、生体情報表示装置１０は、ユーザの周囲に存在していれば、検出装置１２からグルコース値を自動的に取得する。
【００３４】
操作表示部４２は、画面情報を表示する表示部４２ａの機能と、この画面情報に応じたユーザの操作を検出する操作部４２ｂの機能と、を有するタッチパネルに構成されている。なお、生体情報表示装置１０は、ユーザが操作する操作部４２ｂと、情報を表示する表示部４２ａとを別々に備えた構成でもよい。
【００３５】
マイク４４は、ユーザの音声を取り込むものであり、必要に応じて操作部４２ｂとしても機能し得る。スピーカ４６は、制御部５０の制御下に、音情報（音声、電子音等）を出力するものであり、必要に応じて情報を報知する報知部としても機能し得る。
【００３６】
制御部５０は、プロセッサ５２（ＣＰＵ）、メモリ５４を有すると共に、図示しない入出力インタフェースを有するコンピュータとして構成されている。入出力インタフェースには、上記の通信モジュール４０、操作表示部４２等が接続されている。制御部５０は、ユーザの操作表示部４２の操作に基づき、メモリ５４に記憶されている生体情報処理プログラムＢＰ（スマートフォンのグルコース値表示アプリケーション）をプロセッサ５２が読み出して処理する。
【００３７】
制御部５０は、生体情報表示装置１０（スマートフォン）の起動後に生体情報処理プログラムＢＰが実行されていれば、スマートフォンが待機（スタンバイ）状態となっていても、検出装置１２から取得したグルコース値を記憶する。そして、制御部５０は、ユーザの操作又はグルコース値の取得に伴い、グルコース値を操作表示部４２に表示させる。また、グルコース値の表示の他にも、検出装置１２や生体情報表示装置１０、或いは相互間の通信状態に異常が生じた場合に、エラーの発生情報を報知する。
【００３８】
そして、本実施形態に係る生体情報表示装置１０は、操作表示部４２を介してユーザの行動に関わる情報の入力を案内し、行動に関わる情報の入力に応じて生体情報であるグルコース値の表示内容を変化させる。以下、この構成について具体的に説明していく。
【００３９】
制御部５０は、ユーザの行動に関わる情報として、食事摂取量と食後運動量の入力を案内する。食事摂取量は、１回の食事においてユーザが食べたと考える食事の量（第１行動量）であり、制御部５０は、例えば図３Ａに示すように、なし、少ない、ふつう、多いというように段階的な選択肢を有する食事摂取量入力画面５６を操作表示部４２に表示する。ユーザは、この選択肢に基づき、自身の食事摂取量を入力する。この入力は、具体的な目標値や定量的なものでなくともよく、ユーザの直観や感覚に基づくものでよい。食事摂取量を入力するタイミングは、ユーザの任意でよく、食事を摂取した直後、食事前又は食後ある程度時間が経過してからでもよい。
【００４０】
また、制御部５０は、ユーザが食事摂取量を入力したタイミングを食事開始時点に設定する他に、グルコース値が食事前の通常の状態から上昇を開始したタイミングを判断して、上昇開始タイミングを食事開始時点に設定することができる。そして、食事開始時点を判定すると、食事摂取量入力画面５６を自動的に表示してユーザに食事摂取量の入力を促す構成としてもよい。また制御部５０は、ユーザの食事習慣を学習して（又は入力させて）、適宜の時間となった際に食事摂取量入力画面５６を自動的に表示させてもよい。
【００４１】
一方、食後運動量は、食事摂取量を入力した食事の後にユーザが実際に活動した量（第２行動量）であり、制御部５０は、例えば図３Ｂに示すように、なし、弱、中、強というように段階的な選択肢を有する食後運動量入力画面５８を操作表示部４２に表示する。ユーザは、この選択肢に基づき、自身の食後運動量を入力する。食後運動量の入力は、具体的な運動量や消費カロリーに基づくものでなくともよく、ユーザの感覚に基づいて入力される。食後運動量を入力するタイミングは、例えば、実際に運動が終了した後、食後から所定時間（例えば２時間）経過した時刻付近等があげられる。
【００４２】
なお、行動量（食事摂取量、食後運動量）の入力は、上記のように複数段階の選択肢をユーザが選択することに限定されない。例えば、食事摂取量や食後運動量を示すアナログのバーを表示して、ユーザがアナログのバーをタッチした位置に応じて、行動量を設定してもよい。また、食事摂取量や食後運動量を入力した後に、ユーザが入力内容を修正することを可能としてもよい。例えば、食事後に実際の食事摂取量を修正入力できる。
【００４３】
また図４Ａ及び図４Ｂに示すように、制御部５０は、取得したグルコース値をグルコース値のグラフ６２ａで操作表示部４２に表示する。グルコース値のグラフ６２ａは、時間を横軸とし、グルコース値（生体情報）を縦軸としていることで、時間経過に伴って変化するグルコース値をユーザに視認可能とする。
【００４４】
より具体的には、制御部５０は、グルコース値の表示時に、グラフ表示領域６２、詳細情報表示領域６４及びアドバイス表示領域６６を含むグルコース値表示画面６０を構築する。グラフ表示領域６２のグルコース値のグラフ６２ａは、所定期間内（図４Ａ及び図４Ｂ中では６時間）におけるグルコース値の変化を表示する。縦軸は、ユーザのグルコース値に応じて表示範囲が設定されるとよく、例えば、高血糖の患者の場合は、０〜４００ｍｇ／ｄＬの範囲に設定される。またグラフ６２ａは、例えば１００ｍｇ／ｄＬ毎に罫線を有するが、この罫線はなくてもよい。
【００４５】
グルコース値の表示線Ｌ（折れ線）をのせる背景部の色（背景色６３）は、行動量の取得がなされていない通常時に、白色又は所定の一色で示されている。制御部５０が食事摂取量を取得した場合には、食事摂取量に基づき背景色６３全体のうち所定（例えば、食事開始時点ｔｅから２時間）の時間範囲６３ａを変化させた第１状態とする。背景色６３を変える時間範囲６３ａの背景色変化開始時点ｔｃは、食事開始時点ｔｅに限定されず、例えばユーザが食事摂取量を入力した時点を背景色変化開始時点ｔｃとしてよい。また、時間範囲６３ａも、特に限定されるものではないが、好ましくは、健常者が食事をした際に上昇するグルコース値が元に戻る期間（２〜３時間）に設定されるとよい。
【００４６】
グルコース値のグラフ６２ａにおいてグルコース値の表示線Ｌは、取得された複数のグルコース値のプロットを繋ぐ、又は適宜の補間方法を採って滑らかな曲線に演算されてグラフ６２ａに表示される。そして、グルコース値の表示線Ｌは、通常時に、一連の線形状を呈する。食後運動量の入力がなされた場合には、上記の時間範囲６３ａの表示線Ｌについて、変形又は線形状を維持する（第２状態とする）。表示線Ｌの変形とは、通常時の一連の線に対し、例えば、点線、太線、二重線等に変えることを言う。この背景色６３の時間範囲６３ａの色及び表示線Ｌの線形状の設定については、後に詳述する。
【００４７】
詳細情報表示領域６４は、グラフ表示領域６２の下方（又は上方）に配置され、グルコース値のモニタリングでユーザに提供すべき文字情報や数値情報を表示する箇所である。例えば、詳細情報表示領域６４に表示される情報としては、上昇又は下降したグルコース値が正常時グルコース値に戻るまでの時間、上昇又は下降したグルコース値のピーク値と正常時グルコース値との差分があげられる。正常時グルコース値は、メモリ５４に記憶されているグルコース値のうちの、所定の期間の平均値として算出され得る。或いは正常時グルコース値は、医療従事者やユーザ自身によって任意に設定されてもよく、正常時グルコース値の範囲として設定されてもよい。また例えば、詳細情報表示領域６４には、グルコース値が上昇を開始してからピーク値に至るまでの時間等、他の情報が表示されてもよい。
【００４８】
アドバイス表示領域６６は、ユーザが入力した食事摂取量や食後運動量と、グルコース値の変化に基づき適切なアドバイス情報ＡＩを表示する箇所である。アドバイス表示領域６６は、ユーザが視認し易い位置（例えば、グルコース値表示画面６０の下辺寄り（又は上辺寄り））に配置されるとよい。
【００４９】
アドバイス表示領域６６において表示するアドバイス情報ＡＩは、他の情報よりも視認性が高められているとよく、一例として、太線且つ目立つ文字色（背景色６３が白の場合には赤色等）で表示される。またアドバイス表示領域６６は、キャラクタ６６ａを合わせて表示すると共に、キャラクタ６６ａが述べているように吹き出し窓６６ｂを描いて、この吹き出し窓６６ｂの内側にアドバイス情報ＡＩを表示するとよい。表示するアドバイス情報ＡＩの設定については、後に詳述する。
【００５０】
生体情報表示装置１０の制御部５０は、生体情報処理プログラムＢＰをプロセッサ５２が実行することで、以上の表示を行うための機能ブロックを構築する。具体的には図５に示すように、制御部５０は、生体情報取得部７０、行動取得部７２及び表示制御部７４が内部に形成される。
【００５１】
生体情報取得部７０は、通信モジュール４０を制御して検出装置１２と情報通信を行い、所定のタイミング毎に検出されたグルコース値情報を受信し、メモリ５４に記憶する。グルコース値情報には、測定したグルコース値に対して測定日時の情報が紐付けられている。
【００５２】
行動取得部７２は、食事摂取量取得部７６及び食後運動量取得部７８を内部に有する。食事摂取量取得部７６は、食事摂取量入力画面５６を操作表示部４２に表示しユーザが入力した食事摂取量をメモリ５４に記憶する。食後運動量取得部７８は、食後運動量入力画面５８を操作表示部４２に表示しユーザが入力した食後運動量をメモリ５４に記憶する。なお、行動取得部７２は、マイク４４を介してユーザの音声を認識して行動量を取得してもよい。
【００５３】
表示制御部７４は、上述のグラフ表示領域６２、詳細情報表示領域６４、アドバイス表示領域６６における表示内容を生成及び出力（表示）する機能部である。そのため、表示制御部７４は、グラフ生成部８０、詳細情報生成部８２、アドバイス生成部８４を内部に有する。
【００５４】
グラフ生成部８０は、図４Ａ及び図４Ｂに示すようなグルコース値のグラフ６２ａをフォーマットとして形成する。そしてグラフ生成部８０は、メモリ５４に記憶されたグルコース値及び測定日時に基づきグラフ上のプロット（不図示）を演算し、このプロットに応じた表示線Ｌを生成する。
【００５５】
また、グラフ生成部８０は、ユーザが入力した食事摂取量及び食後運動量に基づきグルコース値のグラフ６２ａの背景色６３、グラフ６２ａの線形状を変化又は維持する。具体的には、グラフ生成部８０の内部（メモリ５４）には、グラフマップ情報８０ａが予め記憶されている。
【００５６】
図６に示すように、グラフマップ情報８０ａは、食事摂取量の４段階の選択肢と、食後運動量の４段階の選択肢とをマトリックスとしたものであるとよい。例えば、食事摂取量の選択肢において、「なし」は黄色の背景色、「少ない」は青色の背景色、「ふつう」は緑色の背景色、「多い」は赤色の背景色に対応付けられている。また食後運動量の選択肢において、「なし」は点線、「弱」は実線、「中」は太線、「強」は二重線に対応付けられている。
【００５７】
従って例えば、ユーザが食事摂取量について「多い」、食後運動量について「なし」を入力した場合に、グラフ生成部８０は、グラフマップ情報８０ａの赤×点線を選ぶことになる。グラフ生成部８０は、グルコース値のグラフ６２ａにおいて食事開始時点ｔｅから２時間の間、背景色６３を赤とし、表示線Ｌを点線とした表示に変化させる（図４Ａも参照）。また例えば、ユーザが食事摂取量について「少ない」、食後運動量について「中」を入力した場合に、グラフ生成部８０は、食事開始時点ｔｅから２時間の間、背景色６３を青とし、表示線Ｌを太線とした表示に変化させる（図４Ｂも参照）。
【００５８】
図４Ａ、図４Ｂ及び図５に示すように、詳細情報生成部８２は、メモリ５４に記憶された（又はグラフ６２ａの表示線Ｌとして算出された）グルコース値、及び制御部５０が計時している時間に基づき詳細情報ＤＩを演算する。詳細情報ＤＩは、上述したように正常時グルコース値まで戻る時間、正常時グルコース値とピーク値の差分等があげられ、その演算結果の数値と文字情報とを合わせて、詳細情報表示領域６４に表示する。
【００５９】
アドバイス生成部８４は、生体情報取得部７０が取得したグルコース値、及びユーザが入力した食事摂取量、食後運動量に基づき、グルコース値の変化の抑制を目標にしたアドバイス情報ＡＩを設定し、アドバイス表示領域６６に表示する。例えば、アドバイス情報ＡＩには、ユーザの食事に関する食事摂取量アドバイスＡＩ１と、ユーザの食後の運動に関する食後運動量アドバイスＡＩ２と、が含まれる（図４Ａ及び図４Ｂも参照）。なお生体情報表示装置１０は、スピーカ４６を介してアドバイス情報ＡＩを音声出力する構成でもよい。
【００６０】
具体的には、アドバイス生成部８４は、ユーザのグルコース値と比較するための基準値ＳＶ及び差分閾値ＴｈΔを内部に有する（メモリ５４に記憶している）。基準値ＳＶは、食後のグルコース値の変化量を監視するための基準の値であり、図７Ａに示すように、グルコース値のグラフ６２ａ上に設定することができる。そして図７Ｂに示すように、食後のグルコース値がピークを過ぎて下降すると、アドバイス生成部８４は、グルコース値のピーク値Ｐｋから基準値ＳＶを減算する。これにより、今回の食事におけるグルコース値の変化量である差分を算出することが可能となる。例えば、基準値ＳＶは、１１０ｍｇ／ｄＬ以下の範囲で適宜の値に設定されるとよい。なお、基準値ＳＶは、個々のユーザに応じて変動する値でもよく、例えば、上述した正常時グルコース値を適用してもよい。
【００６１】
差分閾値ＴｈΔは、食後のグルコース値の変化量を比較するための閾値である。すなわち、アドバイス生成部８４は、上記の差分と差分閾値ＴｈΔを比較して、グルコース値が大きく変化しているか否かを判定する。差分は、正数と負数の両パターンで算出されるので、アドバイス生成部８４は、算出された差分の絶対値と、差分閾値ＴｈΔとを比較する。例えば、差分閾値ＴｈΔとしては、５０〜２００ｍｇ／ｄＬの範囲で適宜の値が設定されるとよい。なお差分閾値ＴｈΔは、正負両方の値（つまりプラスの差分閾値ＴｈΔとマイナスの差分閾値ＴｈΔ）としてもよく、プラスの差分閾値ＴｈΔとマイナスの差分閾値ＴｈΔとは、相互の絶対値が異なっていてもよい。
【００６２】
ここで、グルコース値のピーク値Ｐｋと基準値ＳＶの差分の絶対値が、差分閾値ＴｈΔ以内（すなわちグルコース値の変化量が小さい場合）には、ユーザの食事摂取量がグルコース値の変化を抑えた量であると言える。逆に、差分の絶対値が差分閾値ＴｈΔを上回る場合（すなわちグルコース値の変化量が大きい場合）には、食事摂取量がグルコース値を大きく変化させる量であると言える。従って、食事摂取量を変えるようにユーザにアドバイスすることが好ましい。
【００６３】
このため、アドバイス生成部８４は、差分の絶対値が差分閾値ＴｈΔを超えると、ユーザが入力した食事摂取量を読み出すと共に、予め記憶している食事摂取量アドバイスマップ情報８４ａを読み出す。そして、食事摂取量に基づき食事摂取量アドバイスマップ情報８４ａから適宜の通知内容を選択する。
【００６４】
図８に示すように、食事摂取量アドバイスマップ情報８４ａは、食事摂取量の４段階の選択肢と、算出されたマイナスの差分及びプラスの差分とをそれぞれ対応させ、アドバイスを変えている。
【００６５】
例えば、マイナスの差分の場合には、ユーザに低血糖が生じる懸念があるため、低血糖注意喚起を行うことが好ましい。またユーザが食事摂取量に関して「なし」の選択肢を入力している場合には、入力情報は適切であるものの食事をとっていないことになるため、規則正しい食生活をするように通知するとよい。一方、ユーザが食事摂取量に関して「少ない」の選択肢を入力している場合には、自分が思っているよりも食事量がやや少ないことを通知すると共に、規則正しい食生活をするように通知するとよい。食事摂取量に関してユーザが「ふつう」の選択肢を入力している場合には、実際に摂取した食事量が、自分が思っている食事量よりも少ないことを通知するとよい。食事摂取量に関してユーザが「多い」の選択肢を入力している場合には、実際に摂取した食事量が、自分が思っているよりもかなり少ないことを通知するとよい。いずれの場合も、食事内容のバランスを見直す必要があることをユーザにさらに通知してもよい。
【００６６】
また例えば、プラスの差分の場合には、グルコース値が急激に上がる血糖値スパイクが生じる懸念があるため、食事摂取量を少なくするような喚起を行うことが好ましい。例えば、ユーザが食事摂取量に関して「なし」の選択肢を入力している場合には、食事摂取量を正しく把握できているか注意喚起を行う、又は食事以外で糖分（炭水化物）を摂取していないかを通知するとよい。一方、ユーザが食事摂取量に関して「少ない」の選択肢を入力している場合には、実際の食事摂取量が、ユーザ自身が思っている（判定している）よりもかなり多いことを通知するとよい。さらに、ユーザが食事摂取量に関して「ふつう」の選択肢を入力している場合には、実際の食事摂取量が、ユーザ自身が思っている（判定している）よりも多いことを通知するとよい。或いは、ユーザが食事摂取量に関して「多い」の選択肢を入力している場合には、入力情報は適切であるものの食事摂取量が多くなっているため、食事摂取量を減らすように通知するとよい。
【００６７】
また、アドバイス生成部８４は、食後に上昇したグルコース値の下降を監視して、食後運動量アドバイスＡＩ２を生成する。具体的には、アドバイス生成部８４は、ユーザのグルコース値が戻る時間と比較するための時間閾値Ｔｈｔを内部に有する。時間閾値Ｔｈｔは、上述した背景色６３や表示線Ｌの線形状を変化させる時間範囲６３ａに連動していてよく、例えば、２時間に設定される。
【００６８】
そして、アドバイス生成部８４は、食事開始時点ｔｅ（グルコース値の上昇開始時点）から正常時グルコース値範囲８６（正常時の生体情報範囲）に戻るまでの実時間を計測し、この実時間と時間閾値Ｔｈｔとを比較する。正常時グルコース値範囲８６は、食事以外のユーザの日常生活においてグルコース値が概ね測定される分布の領域であり、例えば、正常時グルコース値（又は基準値ＳＶ）に対し±許容値（５０ｍｇ／ｄＬ等として任意に設定できるが、グルコース値として５０〜７０ｍｇ／ｄＬ以上を維持できる値）を加えたものである。なお、正常時グルコース値範囲８６は、固定値として予め保有されていてもよい。
【００６９】
そして、実時間が時間閾値Ｔｈｔ以内（２時間以内）の場合には、今回の食事に応じた運動（活動）が食後になされたと言えるため、食後運動量の認識が正しい旨をアドバイスする（図７Ｃも参照）。逆に、実時間が時間閾値Ｔｈｔより長い場合には、食後運動量が足りていないと言えるため、食後運動量の認識がずれている旨のアドバイスをユーザに提供する。
【００７０】
このため、アドバイス生成部８４は、実時間と時間閾値Ｔｈｔの判定後に、ユーザが入力した食後運動量を読み出すと共に、予め記憶している食後運動量アドバイスマップ情報８４ｂを読み出す。そして、食後運動量に基づき食後運動量アドバイスマップ情報８４ｂから適宜の通知内容を選択する。
【００７１】
図９に示すように、食後運動量アドバイスマップ情報８４ｂは、食後運動量の４段階の選択肢と、時間閾値Ｔｈｔ以内の場合及び時間閾値Ｔｈｔよりも長い場合とをそれぞれ対応させ、アドバイスを設定している。
【００７２】
例えば、実時間が時間閾値Ｔｈｔ以内であれば、食後運動量が適切であると言えるため、ユーザが入力した食後運動量の選択肢に関わらず食後運動量が適切であることを通知する。つまり、食後運動量が「なし」であっても、２時間経過後のグルコース値が正常時グルコース値範囲８６に存在していれば、運動量が正しいと見なす。
【００７３】
一方、実時間が時間閾値Ｔｈｔよりも長い場合で、食後運動量に関して「なし」の選択肢を入力している場合には、入力情報は適切であるものの運動が足りていないことになるため、運動が必要なことを通知するとよい。また、実時間が時間閾値Ｔｈｔよりも長い場合で食後運動量に関して「弱」の選択肢を入力している場合には、入力情報は適切であるものの運動がやはり足りていないことになるため、さらなる運動が必要なことを通知するとよい。実時間が時間閾値Ｔｈｔよりも長い場合で食後運動量に関して「中」の選択肢を入力している場合には、自分が認識しているよりも食後運動量が少ないことを通知し、さらなる運動が必要なことを通知するとよい。実時間が時間閾値Ｔｈｔよりも長い場合で食後運動量に関して「強」の選択肢を入力している場合には、自分が認識しているよりも食後運動量が大幅に少ないことを通知し、さらなる運動が必要なことを通知するとよい。
【００７４】
このように、アドバイス生成部８４は、取得したグルコース値と、ユーザが入力した食事摂取量及び食後行動量に基づき、適切なアドバイス情報ＡＩをアドバイス表示領域６６に表示させる。これにより、ユーザは、アドバイス情報ＡＩを参考にして自身の行動変容等を気にかけるようになり、グルコース値をより良好にコントロール可能となる。
【００７５】
本実施形態に係る生体情報表示装置１０は、基本的には、以上のように構成されるものであり、以下、その動作について説明する。
【００７６】
図１に示すように、生体情報システム１４は、ユーザのグルコース値を持続的にモニタリングする際に適用され、ユーザ又は医療従事者により脇腹等のユーザの日常生活に邪魔とならない体表上に検出装置１２が留置される。検出装置１２及び生体情報表示装置１０は、相互にペアリングを形成（通信を確立）することで、検出装置１２が測定したグルコース値情報（グルコース値、測定日時等）を生体情報表示装置１０に送信可能とする。生体情報表示装置１０は、取得したグルコース値情報をメモリ５４に記憶する。
【００７７】
制御部５０の表示制御部７４（グラフ生成部８０）は、ユーザの食事前の通常時において、受信したグルコース値情報に基づきグルコース値のグラフ６２ａをグラフ表示領域６２に表示している。そして、制御部５０の行動取得部７２（図５参照）は、適宜のタイミングで、食事摂取量入力画面５６や食後運動量入力画面５８を表示させ（図３Ａ及び図３Ｂも参照）、食事摂取量や食後運動量をユーザに入力させる。
【００７８】
表示制御部７４は、行動取得部７２により食事摂取量及び食後運動量を取得すると、取得前に表示しているグルコース値の表示内容（グルコース値表示画面６０）から、取得した食事摂取量及び食後運動量に基づく表示内容に変化させる。
【００７９】
すなわち、グラフ生成部８０は、図６に示すグラフマップ情報８０ａを読み出して、食事摂取量に応じた背景色６３の色を設定すると共に、食後運動量に応じた線形状を設定して、グルコース値のグラフ６２ａを表示する。これにより図４Ａ及び図４Ｂに示すように、食後２時間の時間範囲の背景色６３及び表示線Ｌが周囲に比べて強調されるため、ユーザの注意を引くことができる。ユーザは、特に、食後２時間のグルコース値を視認することで、食事に伴う自身のグルコース値の変化を認識し、グルコース値をコントロールするように心掛けることができる。
【００８０】
また、アドバイス生成部８４は、図１０に示すアドバイス表示処理フローに従って、適宜のアドバイスを表示する処理を行う。アドバイス表示処理フローでは、まずユーザによる食事摂取量と食後運動量の入力を判定し（ステップＳ１）、入力がなされた場合にはステップＳ２に進み、入力がなされていない場合には判定を継続する。なお、この入力前は、グラフ生成部８０により、グルコース値のグラフ６２ａの背景色６３、表示線Ｌの線形状や色を一定のものとして表示している。
【００８１】
次に、アドバイス生成部８４は、ユーザの食後に取得したグルコース値において、その変化のピーク値Ｐｋを抽出する（ステップＳ２）。ピーク値Ｐｋを抽出すると、アドバイス生成部８４は、保有する基準値ＳＶとピーク値Ｐｋとの差分を算出する（ステップＳ３）。
【００８２】
そして、アドバイス生成部８４は、算出した差分と差分閾値ＴｈΔとの比較を行い、差分の絶対値が差分閾値ＴｈΔ以内か否かを判定する（ステップＳ４）。このステップＳ４において、差分の絶対値が差分閾値ＴｈΔ以内の場合にはステップＳ５に進む。差分の絶対値が差分閾値ＴｈΔを超えている（プラスの差分がプラスの差分閾値ＴｈΔより大きい、又はマイナスの差分がマイナスの差分閾値ＴｈΔよりも小さい）場合にはステップＳ６に進む。
【００８３】
ステップＳ５において、アドバイス生成部８４は、ユーザが入力（認識）した食事摂取量が正しい旨の食事摂取量アドバイスＡＩ１を、アドバイス表示領域６６に表示する。一方、ステップＳ６において、アドバイス生成部８４は、ユーザが入力した食事摂取量と、食事摂取量アドバイスマップ情報８４ａ（図８参照）とを読み出し、食事摂取量及び差分の正負に基づき食事摂取量が正しくない（ユーザの行動量の変化を要請する）旨の食事摂取量アドバイスＡＩ１を適宜選択して表示する。
【００８４】
ステップＳ５又はＳ６を終了すると、アドバイス生成部８４は、食事開始時点ｔｅから正常時グルコース値範囲８６に戻るまでの実時間を算出する（ステップＳ７）。そして、算出した実時間と時間閾値Ｔｈｔとの比較を行い、実時間が時間閾値Ｔｈｔ以内か否かを判定する（ステップＳ８）。このステップＳ８において、実時間が時間閾値Ｔｈｔ以内の場合にはステップＳ９に進み、実時間が時間閾値Ｔｈｔよりも長い場合にはステップＳ１０に進む。
【００８５】
ステップＳ９において、アドバイス生成部８４は、食後運動量アドバイスマップ情報８４ｂ（図９参照）を読み出し、ユーザが入力（認識）した食後運動量が正しい旨の食後運動量アドバイスＡＩ２を選択しアドバイス表示領域６６に表示する。一方、ステップＳ１０において、アドバイス生成部８４は、ユーザが入力した食後運動量と、食後運動量アドバイスマップ情報８４ｂとを読み出し、食後運動量が正しくない（ユーザの行動量の変化を要請する）旨の食後運動量アドバイスＡＩ２を適宜選択して表示する。
【００８６】
これにより、グルコース値表示画面６０のアドバイス表示領域６６には、図４Ａ及び図４Ｂに示すようなアドバイス情報ＡＩが表示される。ユーザは、このアドバイス情報ＡＩを視認することで、自身の認識する食事摂取量や食後運動量を見直すことができる。また、アドバイス生成部８４は、ステップＳ９又はＳ１０を終了するとアドバイス表示処理フローを終了する。
【００８７】
以上のように、本実施形態に係る生体情報表示装置１０は、以下の効果を奏する。
【００８８】
生体情報表示装置１０は、ユーザ自身の行動に関わる情報に基づきグルコース値の表示内容（グルコース値表示画面６０）を変化させて操作表示部４２に表示する。よって、操作表示部４２を視認したユーザは、自身の行動に応じたグルコース値の変化を、容易且つ確実に認識することができる。これにより生体情報表示装置１０は、例えば、グルコース値の変化を抑制する行動変容をユーザに啓発することが可能となる。従って、病気の改善、予防又は進行を抑える等の効果を期待することができる。
【００８９】
特に、生体情報表示装置１０は、生体情報であるグルコース値、行動に関わる情報である食事摂取量及び食後運動量を取り扱うことで、グルコース値の変化をユーザにモニタリングさせることができる。しかも、食事後のグルコース値の変化についてユーザが認識する食事摂取量及び食後運動量に基づき表示内容が変化するので、食事量に関する知識やカーボ値、運動量の目標値をユーザが記憶したり、意識せずとも、グルコース値のコントロールをより意識し易くすることができる。
【００９０】
また、生体情報表示装置１０は、操作表示部４２にグルコース値のグラフ６２ａを表示することで、時間的に変化するグルコース値をユーザに良好に知らせることができる。特に、ユーザの行動に関わる情報に基づきグルコース値のグラフ６２ａの背景色６３、表示線Ｌの線形状又は色のうちいずれかを変化させることで、ユーザの行動時におけるグルコース値の変化を強調することが可能となる。
【００９１】
さらに、生体情報表示装置１０は、グルコース値のグラフ６２ａにおいて所定の時間範囲６３ａ内の背景色６３、表示線Ｌの線形状又は色を変化させることで、ユーザの行動に関連した時間内における生体情報の変化をより確実に視認させることができる。
【００９２】
そして、生体情報表示装置１０は、行動に関わる情報毎の変化内容が設定されたグラフマップ情報８０ａを有することで、表示内容の設定時にグラフマップ情報８０ａを参照して適切な表示形態を簡単に選択することができる。
【００９３】
生体情報表示装置１０は、食事摂取量に基づきグラフ６２ａの背景色６３、表示線Ｌの線形状、又は表示線Ｌの色（後記の変形例１参照）のうちいずれかの要素を変化させ、また食後運動量に基づき別の要素を変化させる。その結果、食事摂取量及び食後運動量に伴うグルコース値の変化を良好に認識させることができる。
【００９４】
また、本実施形態に係る生体情報表示装置１０は、グルコース値表示画面６０にグルコース値に基づくアドバイス情報ＡＩを表示する。従って、ユーザに適切なアドバイスを提供することが可能となり、ユーザの行動変容等をより促進することができる。
【００９５】
この場合、生体情報表示装置１０は、グルコース値と基準値ＳＶの差分を算出し、差分の絶対値が予め保有する差分閾値ＴｈΔよりも大きい場合に、アドバイス情報ＡＩを表示させることで、グルコース値が大きく変化した際にユーザの行動量の変化を促すことができる。これにより、ユーザは行動変容等を気にかけるようになり、グルコース値のコントロールを一層促進することができる。
【００９６】
さらに、生体情報表示装置１０は、グルコース値が変化した際に正常時のグルコース値範囲に戻るまでの実時間が、時間閾値Ｔｈｔよりも長い場合にアドバイス情報ＡＩを表示させることで、グルコース値の戻りが遅い際にユーザの行動量の変化を促すことができる。この場合でも、ユーザは行動変容等を気にかけるようになり、生体情報のコントロールを一層促進することができる。
【００９７】
そして、生体情報表示装置１０は、行動に関わる情報毎のアドバイス情報ＡＩが設定されたアドバイスマップ情報を有することで、表示内容の設定時にアドバイス情報ＡＩを参照して適切な表示形態を簡単に選択することができる。
【００９８】
なお、本発明は、上述の実施形態に限定されず、発明の要旨に沿って種々の改変が可能である。例えば、上述の実施形態では、生体情報表示装置１０にスマートフォンを適用し、検出装置１２の検出値を取得して表示する構成とした。しかしながら、生体情報システム１４は、一の通信機器（例えば、スマートフォン）と、他の通信機器（例えば、ディスクトップコンピュータやサーバ、クラウド等）とで構成することもでき、他の通信機器でも、同様の手段で生体情報を表示させることができる。
【００９９】
また例えば、生体情報表示装置１０が表示するグルコース値表示画面６０は、上記の表示形態に限定されず、種々の変形例をとり得る。グルコース値表示画面６０は、グルコース値のグラフ６２ａを表示させるだけでなく、グルコース値及び測定日時を並べた表（不図示）として表示してもよい。この場合でも、食事摂取量や食後運動量に基づき表において食後２時間の時間範囲の背景色や数値情報の色、数値情報のフォント（形状）等のいずれかを変化させることで、ユーザの視認性を高めることができる。
【０１００】
また、グルコース値のグラフ６２ａは、ユーザが入力した食事摂取量に基づき表示線Ｌの線形状を変化又は維持させる一方で、ユーザが入力した食後運動量に基づき背景色６３を変化又は維持させる構成でもよい。また、通信可能な他のウェアラブルデバイスが取得した活動量等の運動に関する情報を取得させてもよい。具体的な数値で取得される運動量値と、ユーザが定性的な情報として入力した運動量入力と、グルコース値の実際の変動を比較することで、より具体的に、食後運動量をユーザに認識させることができる。
【０１０１】
また、図１１Ａ及び図１１Ｂに示す第１変形例のように、グルコース値のグラフ６２ｂは、食事摂取量に基づき食事開始時点ｔｅから２時間内の表示線Ｌ自体の色を変化させる一方で、食後運動量に基づき食事開始時点ｔｅから２時間以内の表示線Ｌの線形状を変化又は維持させる構成でもよい。表示線Ｌの色は、例えば図６のグラフマップ情報８０ａと同様のものを参照して変化させればよい。一例として、図１１Ａの表示線Ｌは、食事摂取量が「多い」とのユーザ入力及び食後運動量が「ない」とのユーザ入力に基づき、１１：００〜１３：００の範囲が赤い線分且つ点線に変更されている。図１１Ｂの表示線Ｌは、食事摂取量が「少ない」とのユーザ入力及び食後運動量が「中」とのユーザ入力に基づき、１１：００〜１３：００の範囲が青い線分且つ太線に変更されている。
【０１０２】
さらに、図１２Ａ及び図１２Ｂに示す第２変形例のように、グルコース値のグラフ６２ｃは、食事摂取量に基づきグラフ６２ｃの背景色６３全体の色を変化させる一方で、食後運動量に基づき食事開始時点ｔｅから２時間以内の表示線Ｌの線形状を変化又は維持させる構成でもよい。この場合も、背景色６３全体の色は、例えば図６のグラフマップ情報８０ａと同様のものを参照して変化させればよい。このように、グラフ６２ｃの背景色６３全体を変化させることで視力が低下しているユーザでも、グルコース値の変化と食事摂取量の関係を視認し易くすることができる。要するに、食後のグルコース値の変化を強調するための手法は、種々の構成例をとり得る。
【０１０３】
また、上述の実施形態では、検出装置１２が測定したグルコース値を６時間の範囲で表示させる構成とした。しかしながら、グルコース値を表示させる時間は、任意に設計可能、或いはユーザの操作下に変更可能に構成されてよく、例えば、図１３に示すグルコース値のグラフ９０ように、起床から就寝までの約一日の時間帯を一連に表示する構成でもよい。この場合でも、朝食、昼食、夕食等の食後２時間の時間範囲６３ａのグラフ９０の背景色６３、及び表示線Ｌの線形状等を変化させることで、食後のグルコース値の変化をユーザに認識させ易くすることができる。
【０１０４】
また表示制御部７４は、操作表示部４２を介したユーザのタッチを検出して、食事毎のアドバイス情報ＡＩを吹き出し窓９２と共に表示する構成とすることができる。これにより、ユーザは、アドバイス情報ＡＩを認識してグルコース値のコントロールに努めることが可能となる。
【０１０５】
さらに、生体情報表示装置１０は、図１４に示すように、１週間（７日）〜１０日、或いは１ヶ月等の各時間帯のグルコース値の平均値を算出して、グルコース値のグラフ９４として、平均グルコース値の表示線Ｌを表示する構成でもよい。また平均グルコース値の表示線Ｌに加えて、各時間帯のグルコース値の分布状態（グルコース値分布範囲）を面状の領域として示すこともできる。これにより、ユーザは、食事におけるグルコース値の変化の平均を良好に認識することができる。
【０１０６】
このような複数日の表示内容を表示する際において、アドバイス情報ＡＩを表示する場合には、食事摂取量や食後運動量の傾向を指摘するようなアドバイスであるとよい。例えば、食事摂取量の認識違いを指摘する場合には、「自分が思っているよりも食事量が多い（又は少ない）傾向があります。食事量を正確に把握しましょう。」等の表示を行うとよい。また食後運動量の認識違いを指摘する場合には、「自分が思っているよりも運動量が少ない傾向があります。積極的に運動しましょう。」等の表示を行うとよい。
【０１０７】
上記のアドバイス情報ＡＩの表示は、例えば、ユーザのグルコース値の変化量が大きくなる回数を数えて所定回数（例えば、１０回）以上の場合に通知するとよい。また所定回数未満の場合には、ユーザ自身の認識が合っている旨の通知を行うとよい。
【符号の説明】
【０１０８】
１０…生体情報表示装置                  １２…検出装置
１４…生体情報システム                  ４２…操作表示部
５０…制御部（表示装置側制御部）        ５６…食事摂取量入力画面
５８…食後運動量入力画面                ６０…グルコース値表示画面
６２…グラフ表示領域                    ６２ａ、６２ｂ、６２ｃ…グラフ
６６…アドバイス表示領域                ７０…生体情報取得部
７２…行動取得部                        ７４…表示制御部
８０ａ…グラフマップ情報                ８４ａ…食事摂取量アドバイスマップ情報
８４ｂ…食後運動量アドバイスマップ情報  ＡＩ…アドバイス情報
ＡＩ１…食事摂取量アドバイス            ＡＩ２…食後運動量アドバイス
Ｌ…表示線                              ＳＶ…基準値
Ｔｈｔ…時間閾値                        ＴｈΔ…差分閾値
【図１】
2019164608.tif 000003
【図２】
2019164608.tif 000004
【図３】
2019164608.tif 000005
【図４】
2019164608.tif 000006
【図５】
2019164608.tif 000007
【図６】
2019164608.tif 000008
【図７】
2019164608.tif 000009
【図８】
2019164608.tif 000010
【図９】
2019164608.tif 000011
【図１０】
2019164608.tif 000012
【図１１】
2019164608.tif 000013
【図１２】
2019164608.tif 000014
【図１３】
2019164608.tif 000015
【図１４】
2019164608.tif 000016